(57)【要約】【課題】電話回線網を介して接続する携帯電話機とインターネット通信網を介して接続するスマートフォンとの間で自端末のファイル形式による音声ファイルを利用して相互にボイスメールの送受信を行う。【解決手段】携帯電話機４又はスマートフォン５において録音された音声ファイルを受信し、受信した音声ファイルのファイル形式を共通のファイル形式に変換し、変換した音声ファイルをボイスメールデータとして登録し、自端末宛てのボイスメールに対する再生要求を受信した場合に、再生要求の送信元宛てのボイスメールデータを、登録したボイスメールデータから抽出し、抽出したボイスメールデータに対応する音声ファイルを、再生要求の送信元において再生可能なファイル形式に変換して再生要求の送信元に送信する。【選択図】図１
2018121257.tif 000002
【特許請求の範囲】
【請求項１】
通話機能を有する第一の携帯端末から電話回線網を介して接続され、かつ、通話機能を有する第二の携帯端末からインターネット通信網を介して接続されるボイスメール管理サーバであって、
前記第一の携帯端末又は前記第二の携帯端末において録音された音声ファイルを受信するファイル受信部と、
前記ファイル受信部により受信された音声ファイルのファイル形式を共通のファイル形式に変換する第一の変換部と、
前記第一の変換部により変換された音声ファイルをボイスメールデータとして登録する登録部と、
自端末宛てのボイスメールに対する再生要求を前記第一の携帯端末又は前記第二の携帯端末から受信した場合に、前記再生要求の送信元である前記第一の携帯端末又は前記第二の携帯端末宛てのボイスメールデータを、前記登録されたボイスメールデータから抽出する抽出部と、
前記抽出されたボイスメールデータに対応する音声ファイルを、前記再生要求の送信元となる前記第一の携帯端末又は前記第二の携帯端末において再生可能なファイル形式に変換する第二の変換部と、
前記再生要求の送信元となる前記第一の携帯端末又は前記第二の携帯端末に対し、前記第二の変換部により変換された音声ファイルを送信する送信部と、
を備えるボイスメール管理サーバ。
【請求項２】
前記共通のファイル形式は、前記第一の携帯端末において再生可能なファイル形式である、
請求項１記載のボイスメール管理サーバ。
【請求項３】
通話機能を有する第一の携帯端末から電話回線網を介して接続され、かつ、通話機能を有する第二の携帯端末からインターネット通信網を介して接続されるボイスメール管理サーバを制御する方法であって、
前記第一の携帯端末又は前記第二の携帯端末において録音された音声ファイルを受信するファイル受信ステップと、
前記ファイル受信ステップにおいて受信された音声ファイルのファイル形式を共通のファイル形式に変換する第一の変換ステップと、
前記第一の変換ステップにおいて変換された音声ファイルをボイスメールデータとして登録する登録ステップと、
自端末宛てのボイスメールに対する再生要求を前記第一の携帯端末又は前記第二の携帯端末から受信した場合に、前記再生要求の送信元である前記第一の携帯端末又は前記第二の携帯端末宛てのボイスメールデータを、前記登録されたボイスメールデータから抽出する抽出ステップと、
前記抽出されたボイスメールデータに対応する音声ファイルを、前記再生要求の送信元となる前記第一の携帯端末又は前記第二の携帯端末において再生可能なファイル形式に変換する第二の変換ステップと、
前記再生要求の送信元となる前記第一の携帯端末又は前記第二の携帯端末に対し、前記第二の変換ステップにより変換された音声ファイルを送信する送信ステップと、
を含むボイスメール管理方法。
【請求項４】
通話機能を有する第一の携帯端末から電話回線網を介して接続され、かつ、通話機能を有する第二の携帯端末からインターネット通信網を介して接続されるコンピュータを、
前記第一の携帯端末又は前記第二の携帯端末において録音された音声ファイルを受信するファイル受信部、
前記ファイル受信部により受信された音声ファイルのファイル形式を共通のファイル形式に変換する第一の変換部、
前記第一の変換部により変換された音声ファイルをボイスメールデータとして登録する登録部、
自端末宛てのボイスメールに対する再生要求を前記第一の携帯端末又は前記第二の携帯端末から受信した場合に、前記再生要求の送信元である前記第一の携帯端末又は前記第二の携帯端末宛てのボイスメールデータを、前記登録されたボイスメールデータから抽出する抽出部、
前記抽出されたボイスメールデータに対応する音声ファイルを、前記再生要求の送信元となる前記第一の携帯端末又は前記第二の携帯端末において再生可能なファイル形式に変換する第二の変換部、
前記再生要求の送信元となる前記第一の携帯端末又は前記第二の携帯端末に対し、前記第二の変換部により変換された音声ファイルを送信する送信部、
として機能させるボイスメール管理プログラム。
【発明の詳細な説明】
【技術分野】
【０００１】
本発明は、ボイスメール管理サーバ、ボイスメール管理方法及びボイスメール管理プログラムに関する。
【背景技術】
【０００２】
近年、ボイスメールシステムにおいて、スマートフォンから電話回線網を介することなく、インターネット通信網に直接アクセスして、ボイスメールの送受信を行うことができるようになった。一方、携帯電話機は、電話回線網を介してボイスメールの送受信を行う必要がある。下記特許文献１には、携帯電話機等が電話回線網を介してボイスメールの送受信を行うボイスメールシステムが開示されている。
【先行技術文献】
【特許文献】
【０００３】
【特許文献１】特開２０１６−１７８３８０号公報
【発明の概要】
【発明が解決しようとする課題】
【０００４】
携帯電話機とスマートフォンとでは、それぞれの端末で再生可能な音声ファイルのファイル形式が異なる。しかしながら、従来のボイスメールシステムでは、サーバ側で生成する共通の音声ファイルを利用してボイスメールをやり取りするため、ファイル形式の違いによる影響を受けない。
【０００５】
これに対し、電話回線網を介して接続する携帯電話機と、インターネット通信網を介して接続するスマートフォンとの間で、それぞれの端末で再生可能なファイル形式の音声ファイルを利用して、ボイスメールをやり取りする場合には、ファイル形式の違いを解消する必要があることから、改善の余地がある。
【０００６】
そこで、本発明は、電話回線網を介して接続する携帯電話機とインターネット通信網を介して接続するスマートフォンとの間で自端末のファイル形式による音声ファイルを利用して相互にボイスメールの送受信を行うことができるボイスメール管理サーバ、ボイスメール管理方法及びボイスメール管理プログラムを提供することを目的とする。
【課題を解決するための手段】
【０００７】
本発明の一態様に係るボイスメール管理サーバは、通話機能を有する第一の携帯端末から電話回線網を介して接続され、かつ、通話機能を有する第二の携帯端末からインターネット通信網を介して接続されるボイスメール管理サーバであって、前記第一の携帯端末又は前記第二の携帯端末において録音された音声ファイルを受信するファイル受信部と、前記ファイル受信部により受信された音声ファイルのファイル形式を共通のファイル形式に変換する第一の変換部と、前記第一の変換部により変換された音声ファイルをボイスメールデータとして登録する登録部と、自端末宛てのボイスメールに対する再生要求を前記第一の携帯端末又は前記第二の携帯端末から受信した場合に、前記再生要求の送信元である前記第一の携帯端末又は前記第二の携帯端末宛てのボイスメールデータを、前記登録されたボイスメールデータから抽出する抽出部と、前記抽出されたボイスメールデータに対応する音声ファイルを、前記再生要求の送信元となる前記第一の携帯端末又は前記第二の携帯端末において再生可能なファイル形式に変換する第二の変換部と、前記再生要求の送信元となる前記第一の携帯端末又は前記第二の携帯端末に対し、前記第二の変換部により変換された音声ファイルを送信する送信部と、を備える。
【０００８】
本発明の他の態様に係るボイスメール管理方法は、通話機能を有する第一の携帯端末から電話回線網を介して接続され、かつ、通話機能を有する第二の携帯端末からインターネット通信網を介して接続されるボイスメール管理サーバを制御する方法であって、前記第一の携帯端末又は前記第二の携帯端末において録音された音声ファイルを受信するファイル受信ステップと、前記ファイル受信ステップにおいて受信された音声ファイルのファイル形式を共通のファイル形式に変換する第一の変換ステップと、前記第一の変換ステップにおいて変換された音声ファイルをボイスメールデータとして登録する登録ステップと、自端末宛てのボイスメールに対する再生要求を前記第一の携帯端末又は前記第二の携帯端末から受信した場合に、前記再生要求の送信元である前記第一の携帯端末又は前記第二の携帯端末宛てのボイスメールデータを、前記登録されたボイスメールデータから抽出する抽出ステップと、前記抽出されたボイスメールデータに対応する音声ファイルを、前記再生要求の送信元となる前記第一の携帯端末又は前記第二の携帯端末において再生可能なファイル形式に変換する第二の変換ステップと、前記再生要求の送信元となる前記第一の携帯端末又は前記第二の携帯端末に対し、前記第二の変換ステップにより変換された音声ファイルを送信する送信ステップと、を含む。
【０００９】
本発明の他の態様に係るボイスメール管理プログラムは、通話機能を有する第一の携帯端末から電話回線網を介して接続され、かつ、通話機能を有する第二の携帯端末からインターネット通信網を介して接続されるコンピュータを、前記第一の携帯端末又は前記第二の携帯端末において録音された音声ファイルを受信するファイル受信部、前記ファイル受信部により受信された音声ファイルのファイル形式を共通のファイル形式に変換する第一の変換部、前記第一の変換部により変換された音声ファイルをボイスメールデータとして登録する登録部、自端末宛てのボイスメールに対する再生要求を前記第一の携帯端末又は前記第二の携帯端末から受信した場合に、前記再生要求の送信元である前記第一の携帯端末又は前記第二の携帯端末宛てのボイスメールデータを、前記登録されたボイスメールデータから抽出する抽出部、前記抽出されたボイスメールデータに対応する音声ファイルを、前記再生要求の送信元となる前記第一の携帯端末又は前記第二の携帯端末において再生可能なファイル形式に変換する第二の変換部、前記再生要求の送信元となる前記第一の携帯端末又は前記第二の携帯端末に対し、前記第二の変換部により変換された音声ファイルを送信する送信部、として機能させる。
【発明の効果】
【００１０】
本発明によれば、電話回線網を介して接続する携帯電話機とインターネット通信網を介して接続するスマートフォンとの間で自端末のファイル形式による音声ファイルを利用して相互にボイスメールの送受信を行うことができるボイスメール管理サーバ、ボイスメール管理方法及びボイスメール管理プログラムを提供することができる。
【図面の簡単な説明】
【００１１】
【図１】実施形態に係るボイスメール管理サーバを含むボイスメール管理システムの構成を例示する図である。
【図２】図１に示すボイスメール管理サーバの構成を例示する図である。
【図３】図１に示すボイスメール管理サーバにおいてボイスメールを登録する際の処理手順を説明するためのフローチャートである。
【図４】図１に示すボイスメール管理サーバにおいてボイスメールを再生する際の処理手順を説明するためのフローチャートである。
【発明を実施するための形態】
【００１２】
以下、本発明の実施形態について図面を参照しつつ詳細に説明する。なお、同一の要素には同一の符号を付し、重複する説明を省略する。
【００１３】
図１は、本発明の一実施形態に係るボイスメール管理サーバを含むボイスメール管理システムの概略構成図である。同図に示すように、本実施形態におけるボイスメール管理システム１００は、ボイスメール管理サーバ１と、公知の電話交換機２と、公知のＡＰＩ（Application Programming Interface）サーバ３と、１台以上の携帯電話機（第一の携帯端末）４と、１台以上のスマートフォン（第二の携帯端末）５と、を備える。携帯電話機４は、ネットワークＮａ及び電話交換機２を介してボイスメール管理サーバ１と通信できるように構成される。スマートフォン５は、ネットワークＮｂ及びＡＰＩサーバ３を介してボイスメール管理サーバ１と通信できるように構成される。
【００１４】
携帯電話機４は、主としてボタンを用いて操作する端末であって通話機能を有する携帯端末であれば、例えば携帯情報端末（ＰＤＡ）等の他の携帯端末であってもよい。また、スマートフォン５は、主としてタッチパネルを用いて操作する端末であって通話機能を有する携帯端末であれば、例えばノートＰＣ（パーソナルコンピュータ）やタブレット端末等の他の携帯端末であってもよい
【００１５】
ネットワークＮａ、Ｎｂは、ボイスメール管理サーバ１、電話交換機２及びＡＰＩサーバ３と、携帯電話機４及びスマートフォン５との間で相互に情報を送受信可能な通信網を含む。ネットワークＮａは、例えば、電話回線網が該当するが、電話回線に加え、移動体通信網等の通信回線を適宜組み合わせることができる。ネットワークＮｂは、例えば、インターネット通信網が該当するが、インターネット回線に加え、ＷｉＦｉ（Wireless Fidelity）等の無線通信回線を適宜組み合わせることができる。
【００１６】
ボイスメール管理サーバ１は、例えば、比較的演算処理能力の高いコンピュータによって構成され、そのコンピュータにおいて所定のサーバ用プログラムが動作することにより、サーバ機能を実現するものである。ここで、ボイスメール管理サーバ１を構成するコンピュータは、必ずしも１台である必要はなく、ネットワーク上に分散する複数のコンピュータから構成されてもよい。
【００１７】
図２に示すように、ボイスメール管理サーバ１は、例えば、プロセッサ１１と、通信インタフェース１２と、記憶資源１３とを備える。
【００１８】
プロセッサ１１は、算術演算、論理演算、ビット演算等を処理する算術論理演算ユニット及び各種レジスタから構成され、記憶資源１３に格納されているコンピュータプログラム１３１を実行することで、後述する各種機能を実現する。各種レジスタは、例えば、プログラムカウンタ、データレジスタ、命令レジスタ、汎用レジスタ等である。
【００１９】
通信インタフェース１２は、ネットワークに接続し、ネットワーク上の他の端末と通信をするためのハードウェアモジュールである。通信インタフェース１２は、例えば、ＩＳＤＮモデム、ＡＤＳＬモデム、ケーブルモデム、光モデム、ソフトモデム等の変調復調装置である。
【００２０】
記憶資源１３は、例えば、物理デバイスの記憶領域が提供する論理デバイスである。物理デバイスは、例えば、ディスクドライブ又は半導体メモリ等のコンピュータ読み取り可能な記録媒体である。記憶資源１３は、複数の物理デバイスを１つの論理デバイスにマッピングして構築してもよいし、１つの物理デバイスを複数の論理デバイスにマッピングして構築してもよい。記憶資源１３には、コンピュータプログラム１３１が記憶される。
【００２１】
記憶資源１３には、コンピュータプログラム１３１のほか、ボイスメール管理サーバ１の処理に用いられるオペレーティングシステムプログラム、ドライバプログラム、各種データ等が格納される。ドライバプログラムとしては、例えば、通信インタフェース１２を制御するための通信インタフェースドライバプログラム等がある。
【００２２】
各種データとして、例えば、ボイスメールデータがある。ボイスメールデータは、ボイスメールＤＢ（データベース）１３２に格納される。
【００２３】
コンピュータプログラム１３１は、所定の処理を行うためのプログラムであり、ボイスメール管理サーバ１のメインプログラムの動作中に適宜呼び出されて実行される複数のソフトウェアモジュールを備える。このソフトウェアモジュールは、それぞれ特定の処理を実行するためにモジュール化されたサブプログラムであり、例えば、プロシージャ、サブルーチン、メソッド、関数及びデータ構造等を用いて作成される。
【００２４】
コンピュータプログラム１３１は、例示的に、ボイスメール管理モジュール１３１ｍを有する。以下において、ボイスメール管理モジュール１３１ｍを実行することで実現する機能について説明する。
【００２５】
ボイスメール管理モジュール１３１ｍは、携帯電話機４又はスマートフォン５において録音された音声ファイルを受信する。スマートフォン５には、音声ファイルを録音するためのアプリケーションがインストールされており、音声ファイルは、そのアプリケーションにより録音されることになる。
【００２６】
携帯電話機４又はスマートフォン５から音声ファイルを送信する際に、音声ファイルの送信先を特定して送信する。音声ファイルの送信先は、例えば、送信先の端末を特定する電話番号や送信先のユーザを特定するユーザＩＤ等を、携帯電話機４又はスマートフォン５から入力させる等して特定することができる。
【００２７】
ボイスメール管理モジュール１３１ｍは、スマートフォン５から受信した音声ファイルのファイル形式を携帯電話機４で再生可能なファイル形式に変換する。スマートフォン５で録音される音声ファイルのファイル形式として、例えば、Ｍ４Ａ形式、ＭＰ３形式、ＭＰ４形式、ＡＡＣ形式等がある。一方、携帯電話機４で再生可能な音声ファイルのファイル形式として、例えば、ＷＡＶ形式等がある。
【００２８】
ボイスメール管理モジュール１３１ｍは、携帯電話機４から受信した音声ファイル、及び携帯電話機４で再生可能なファイル形式に変換された音声ファイルを、ボイスメールデータとして、ボイスメールＤＢ１３２に登録する。
【００２９】
ボイスメールデータには、音声ファイルの送信元を特定する送信元情報及び音声ファイルの送信先を特定する送信先情報が含まれる。送信元情報及び送信先情報として、例えば、送信元及び送信先の端末を特定する電話番号、送信元及び送信先のユーザを特定するユーザＩＤ等の送信元及び送信先を特定するための識別情報が該当する。
【００３０】
音声ファイルは、ボイスメールデータに含めることとしてもよいし、音声ファイルを別のＤＢで管理し、音声ファイルを特定するための音声ファイルＩＤをボイスメールデータに含めることとしてもよい。
【００３１】
ボイスメール管理モジュール１３１ｍは、自端末宛てのボイスメールの再生を要求する再生要求を携帯電話機４又はスマートフォン５から受信する。再生要求は、例えば、携帯電話機４又はスマートフォン５においてユーザが所望する一つ以上のボイスメールを指定させることで発行することができる。
【００３２】
ボイスメール管理モジュール１３１ｍは、再生要求の送信元となる携帯電話機４又はスマートフォン５宛てのボイスメールデータを、ボイスメールＤＢ１３２から抽出する。
【００３３】
ボイスメール管理モジュール１３１ｍは、再生要求の送信元がスマートフォン５である場合に、抽出したボイスメールデータに対応する音声ファイルを、そのスマートフォン５において再生可能なファイル形式に変換してから、スマートフォン５に送信する。
【００３４】
ボイスメール管理モジュール１３１ｍは、再生要求の送信元が携帯電話機４である場合に、抽出したボイスメールデータに対応する音声ファイルを、携帯電話機４に送信する。
【００３５】
図３を参照し、ボイスメールを登録する際の処理手順の一例について説明する。
【００３６】
最初に、ボイスメール管理モジュール１３１ｍは、音声ファイルを受信すると、受信した音声ファイルの送信元がスマートフォン５であるか否かを判定する（ステップＳ１０１）。この判定がＮＯである場合（ステップＳ１０１；ＮＯ）には、処理を後述するステップＳ１０３に移行する。
【００３７】
前述したステップＳ１０１の判定で音声ファイルの送信元がスマートフォン５であると判定した場合（ステップＳ１０１；ＹＥＳ）に、ボイスメール管理モジュール１３１ｍは、受信した音声ファイルのファイル形式を、携帯電話機４で再生可能なファイル形式に変換する（ステップＳ１０２）。
【００３８】
続いて、ボイスメール管理モジュール１３１ｍは、前述したステップＳ１０１で携帯電話機４から受信した音声ファイル又は前述したステップＳ１０２で変換した音声ファイルのいずれかに対応するボイスメールデータを、ボイスメールＤＢ１３２に登録する（ステップＳ１０３）。そして、本手順を終了する。
【００３９】
なお、前述したステップＳ１０１において音声ファイルの送信元を判定しているが、音声ファイルの送信元を判定する処理は必須ではない。例えば、ボイスメール管理サーバ１において、電話交換機２側が接続するポート番号と、ＡＰＩサーバ３側が接続するポート番号とを異なるポート番号に割り当てることで、音声ファイルの送信元をポート番号に対応付けて区別することができるようになり、音声ファイルの送信元を判定する必要がなくなる。
【００４０】
図４を参照し、ボイスメールを再生する際の処理手順の一例について説明する。
【００４１】
最初に、ボイスメール管理モジュール１３１ｍは、ボイスメールの再生要求を受信すると、受信した再生要求の送信元がスマートフォン５であるか否かを判定する（ステップＳ２０１）。この判定がＮＯである場合（ステップＳ２０１；ＮＯ）に、ボイスメール管理モジュール１３１ｍは、再生要求の送信元である携帯電話機４宛てのボイスメールデータを、ボイスメールＤＢ１３２から抽出する（ステップＳ２０２）。そして、処理を後述するステップＳ２０５に移行する。
【００４２】
一方、前述したステップＳ２０１の判定で再生要求の送信元がスマートフォン５であると判定した場合（ステップＳ２０１；ＹＥＳ）に、ボイスメール管理モジュール１３１ｍは、再生要求の送信元であるスマートフォン５宛てのボイスメールデータを、ボイスメールＤＢ１３２から抽出する（ステップＳ２０３）。
【００４３】
続いて、ボイスメール管理モジュール１３１ｍは、前述したステップＳ２０３で抽出したボイスメールデータに対応する音声ファイルのファイル形式を、スマートフォン５において再生可能なファイル形式に変換する（ステップＳ２０４）。
【００４４】
続いて、ボイスメール管理モジュール１３１ｍは、前述したステップＳ２０２で抽出した携帯電話機４宛てのボイスメールデータに対応する音声ファイル又は前述したステップＳ２０４で変換した音声ファイルのいずれかを、再生要求の送信元に送信する（ステップＳ２０５）。これにより、再生要求の送信元において音声ファイルが再生される。そして、本手順を終了する。
【００４５】
なお、前述したステップＳ２０１において再生要求の送信元を判定しているが、再生要求の送信元を判定する処理は必須ではない。例えば、ボイスメール管理サーバ１において、電話交換機２側が接続するポート番号と、ＡＰＩサーバ３側が接続するポート番号とを異なるポート番号に割り当てることで、再生要求の送信元をポート番号に対応付けて区別することができるようになり、再生要求の送信元を判定する必要がなくなる。
【００４６】
前述したように、実施形態に係るボイスメール管理サーバ１によれば、ネットワークＮａ及び電話交換機２を介して接続可能な携帯電話機４又はネットワークＮｂ及びＡＰＩサーバ３を介して接続可能なスマートフォン５において録音された音声ファイルを受信し、その受信した音声ファイルのファイル形式を携帯電話機４において再生可能なファイル形式に変換し、その変換した音声ファイル及び携帯電話機４において録音された音声ファイルをボイスメールＤＢ１３２に登録することができる。
【００４７】
さらに、携帯電話機４又はスマートフォン５から、自端末宛てのボイスメールに対する再生要求を受信した場合に、その再生要求の送信元である携帯電話機４又はスマートフォン５宛てのボイスメールデータをボイスメールＤＢ１３２から抽出し、その抽出したボイスメールデータに対応する音声ファイルを、再生要求の送信元となる携帯電話機４又はスマートフォン５において再生可能なファイル形式に変換する等してから、再生要求送信元の携帯電話機４又はスマートフォン５に送信することができる。
【００４８】
これにより、電話回線網を介して接続する携帯電話機４及びインターネット通信網を介して接続するスマートフォン５の双方からアクセス可能なボイスメール管理サーバ１を構築したうえで、各端末からのボイスメールを登録する際には、携帯電話機４又はスマートフォン５から受信した音声ファイルを共通のファイル形式となる携帯電話機４で再生可能なファイル形式に変換してＤＢに登録することができ、各端末でボイスメールを再生する際には、ＤＢに登録された音声ファイルを再生要求元の端末で再生可能なファイル形式に変換してから再生要求元の端末に送信し、再生させることが可能となる。
【００４９】
それゆえ、実施形態に係るボイスメール管理サーバ１によれば、電話回線網を介して接続する携帯電話機４とインターネット通信網を介して接続するスマートフォン５との間で自端末のファイル形式による音声ファイルを利用して相互にボイスメールの送受信を行うことが可能となる。
【００５０】
[変形例]
なお、本発明は、前述した実施形態に限定されるものではなく、本発明の要旨を逸脱しない範囲内において、他の様々な形で実施することができる。このため、前述した実施形態はあらゆる点で単なる例示にすぎず、限定的に解釈されるものではない。例えば、前述した各処理（ステップ）は処理内容に矛盾を生じない範囲で任意に順番を変更し、又は並列に実行することができる。
【００５１】
また、前述した実施形態におけるボイスメール管理サーバ１は、音声ファイルを管理する際に、携帯電話機４で再生可能な音声ファイルのファイル形式に変換して管理しているが、これに限定されない。任意に定めた共通のファイル形式に変換して管理することができればよい。例えば、スマートフォン５で再生可能な音声ファイルのファイル形式に変換して管理することとしてもよい。
【００５２】
また、実施形態におけるプログラムは、ＣＤ−ＲＯＭ等の光学ディスク、磁気ディスク、半導体メモリなどの各種の記録媒体（コンピュータ読み取り可能な記録媒体）を通じて、または通信ネットワークなどを介してダウンロードすることにより、コンピュータにインストールまたはロードすることができる。
【符号の説明】
【００５３】
１…ボイスメール管理サーバ、２…電話交換機、３…ＡＰＩサーバ、４…携帯電話機、５…スマートフォン、１１…プロセッサ、１２…通信インタフェース、１３…記憶資源、１００…ボイスメール管理システム、１３１…コンピュータプログラム、１３１ｍ…ボイスメール管理モジュール、１３２…ボイスメールＤＢ、Ｎａ、Ｎｂ…ネットワーク
【図１】
2018121257.tif 000003
【図２】
2018121257.tif 000004
【図３】
2018121257.tif 000005
【図４】
2018121257.tif 000006
【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
主としてボタンを用いて操作する端末であって通話機能を有する携帯電話機から電話回線網を介して接続され、かつ、主としてタッチパネルを用いて操作する端末であって通話機能を有する携帯端末からインターネット通信網を介して接続されるボイスメール管理サーバであって、
前記携帯電話機又は前記携帯端末において録音された音声ファイルを受信するファイル受信部と、
前記ファイル受信部により受信された音声ファイルが前記携帯端末において録音された音声ファイルである場合に、当該音声ファイルのファイル形式を、前記携帯電話機において再生可能なファイル形式に変換する第一の変換部と、
前記携帯電話機において録音された音声ファイル又は前記第一の変換部により変換された音声ファイルをボイスメールデータとして登録する登録部と、
自端末宛てのボイスメールに対する再生要求を前記携帯電話機又は前記携帯端末から受信した場合に、前記再生要求の送信元である前記携帯電話機又は前記携帯端末宛てのボイスメールデータを、前記登録されたボイスメールデータから抽出する抽出部と、
前記再生要求の送信元が前記携帯端末である場合に、前記抽出部により抽出されたボイスメールデータに対応する音声ファイルを、前記携帯端末において再生可能なファイル形式に変換する第二の変換部と、
前記再生要求の送信元が前記携帯電話機である場合に、前記携帯電話機に対し、前記抽出部により抽出されたボイスメールデータに対応する音声ファイルを送信する一方、前記再生要求の送信元が前記携帯端末である場合に、前記携帯端末に対し、前記第二の変換部により変換された音声ファイルを送信する送信部と、
を備えるボイスメール管理サーバ。
【請求項２】
主としてボタンを用いて操作する端末であって通話機能を有する携帯電話機から電話回線網を介して接続され、かつ、主としてタッチパネルを用いて操作する端末であって通話機能を有する携帯端末からインターネット通信網を介して接続されるボイスメール管理サーバを制御する方法であって、
前記携帯電話機又は前記携帯端末において録音された音声ファイルを受信するファイル受信ステップと、
前記ファイル受信ステップにおいて受信された音声ファイルが前記携帯端末において録音された音声ファイルである場合に、当該音声ファイルのファイル形式を、前記携帯電話機において再生可能なファイル形式に変換する第一の変換ステップと、
前記携帯電話機において録音された音声ファイル又は前記第一の変換ステップにおいて変換された音声ファイルをボイスメールデータとして登録する登録ステップと、
自端末宛てのボイスメールに対する再生要求を前記携帯電話機又は前記携帯端末から受信した場合に、前記再生要求の送信元である前記携帯電話機又は前記携帯端末宛てのボイスメールデータを、前記登録されたボイスメールデータから抽出する抽出ステップと、
前記再生要求の送信元が前記携帯端末である場合に、前記抽出ステップにおいて抽出されたボイスメールデータに対応する音声ファイルを、前記携帯端末において再生可能なファイル形式に変換する第二の変換ステップと、
前記再生要求の送信元が前記携帯電話機である場合に、前記携帯電話機に対し、前記抽出部により抽出されたボイスメールデータに対応する音声ファイルを送信する一方、前記再生要求の送信元が前記携帯端末である場合に、前記携帯端末に対し、前記第二の変換ステップにより変換された音声ファイルを送信する送信ステップと、
を含むボイスメール管理方法。
【請求項３】
主としてボタンを用いて操作する端末であって通話機能を有する携帯電話機から電話回線網を介して接続され、かつ、主としてタッチパネルを用いて操作する端末であって通話機能を有する携帯端末からインターネット通信網を介して接続されるコンピュータを、
前記携帯電話機又は前記携帯端末において録音された音声ファイルを受信するファイル受信部、
前記ファイル受信部により受信された音声ファイルが前記携帯端末において録音された音声ファイルである場合に、当該音声ファイルのファイル形式を、前記携帯電話機において再生可能なファイル形式に変換する第一の変換部、
前記携帯電話機において録音された音声ファイル又は前記第一の変換部により変換された音声ファイルをボイスメールデータとして登録する登録部、
自端末宛てのボイスメールに対する再生要求を前記携帯電話機又は前記携帯端末から受信した場合に、前記再生要求の送信元である前記携帯電話機又は前記携帯端末宛てのボイスメールデータを、前記登録されたボイスメールデータから抽出する抽出部、
前記再生要求の送信元が前記携帯端末である場合に、前記抽出部により抽出されたボイスメールデータに対応する音声ファイルを、前記携帯端末において再生可能なファイル形式に変換する第二の変換部、
前記再生要求の送信元が前記携帯電話機である場合に、前記携帯電話機に対し、前記抽出部により抽出されたボイスメールデータに対応する音声ファイルを送信する一方、前記再生要求の送信元が前記携帯端末である場合に、前記携帯端末に対し、前記第二の変換部により変換された音声ファイルを送信する送信部、
として機能させるボイスメール管理プログラム。